(57)【要約】【課題】搬送用具に関する温度の異常を検出することができる携帯端末装置を提供する。【解決手段】温度センサ２０１を有する温度検出装置２であって、搬送用具に設置された１以上の温度検出装置２が取得して送信する温度情報を受信する受信部１０１と、受信部１０１が受信した温度情報が、異常を検出するための予め決められた条件を満たすか否かを判断する判断部１０２と、判断部１０２が予め決められた条件を満たすと判断した場合に、異常に関する情報を出力する出力部１０４とを備えるようにした。【選択図】図１
2016035668.tif 000002
【特許請求の範囲】
【請求項１】
温度センサを有する温度検出装置であって、搬送用具に設置された１以上の温度検出装置が取得して送信する温度情報を受信する受信部と、
前記受信部が受信した温度情報が、異常を検出するための予め決められた条件を満たすか否かを判断する判断部と、
当該判断部が予め決められた条件を満たすと判断した場合に、異常に関する情報を出力する出力部とを備えた携帯端末装置。
【請求項２】
前記受信部が温度情報を受信できない状況であるか否かを判断する受信状況判断部を更に備え、
前記出力部は、前記受信状況判断部が、温度情報を受信できない状況であると判断した場合に、温度情報を受信できないことを示す情報である第一警告情報を出力する請求項１記載の携帯端末装置。
【請求項３】
前記搬送用具は、温度調節装置を有しており、
前記出力部が出力する前記異常に関する情報は、前記搬送用具に設置された温度調節装置の起動指示である請求項１または請求項２記載の携帯端末装置。
【請求項４】
温度センサと、
当該温度センサが取得した温度情報を送信するセンサ送信部とを有しており、
搬送用具に設置され、温度情報を取得して請求項１から請求項３いずれか一項記載の携帯端末装置に送信する温度検出装置。
【請求項５】
前記携帯端末装置と通信ができない場合に、通信できないことを示す情報である第二警告情報を出力する警告出力部を更に備えた請求項４記載の温度検出装置。
【請求項６】
請求項４または請求項５記載の１以上の温度検出装置が設置された搬送用具であるベビーカー。
【請求項７】
前記１以上の温度検出装置のうちの少なくとも１以上が下面に設置されている請求項６記載のベビーカー。
【請求項８】
請求項４または請求項５記載の１以上の温度検出装置が設置された搬送用具であるチャイルドシート。
【請求項９】
前記温度検出装置の少なくとも２以上が足下及び背もたれに設置されている請求項８記載のチャイルドシート。
【請求項１０】
コンピュータを、
温度センサを有する温度検出装置であって、搬送用具に設置された１以上の温度検出装置が取得して送信する温度情報を受信する受信部と、
前記受信部が受信した温度情報が、異常を検出するための予め決められた条件を満たすか否かを判断する判断部と、
当該判断部が予め決められた条件を満たす場合に、異常に関する情報を出力する出力部として機能させるためのプログラム。
【発明の詳細な説明】
【技術分野】
【０００１】
本発明は、搬送用具の温度を検出するために用いられる装置等に関するものである。
【背景技術】
【０００２】
従来の技術として、シート部の下部側に、該シート部から所定の間隙をもって反射熱抑制用保冷部材を設けて地面からの反射熱の伝熱を抑制するベビーカーが知られていた（例えば、特許文献１参照）。
【先行技術文献】
【特許文献】
【０００３】
【特許文献１】特開２００５−２４７３１３号公報（第１頁、第１図等）
【発明の概要】
【発明が解決しようとする課題】
【０００４】
しかしながら、従来においては、ベビーカー等の搬送用具に関する温度（例えば、搬送用具自身やその周辺の温度）が異常であるか否かを適切に判断することができない、という課題があった。このため、例えば、温度が異常である場合に、搬送用具やその周辺の温度を調節したり、搬送用具の温度が異常でなくなるような場所に移動させたりする等の適切な措置をとることができない、という問題があった。
【０００５】
特に、ベビーカー等においては、ベビーカーに着席した状態の乳幼児の高さと、ベビーカーを用いて乳幼児を搬送する保護者等の高さと、が大きく異なるため、保護者等が異常な温度でないと感じたとしても、乳幼児の位置においては異常な温度である場合がある。また、搬送されている乳幼児が異常な温度下にいたとしても、保護者自身等が異常ではないと感じている場合には、その状況に気づきにくい。また、乳幼児等が、暑さや寒さを適切に判断して、自分で適切な温度調節等を行うことは実質的に困難である。その結果、乳幼児が、適温でない状況下で搬送されることとなってしまい、搬送中の乳幼児の健康状態に脱水症状等の悪影響を及ぼす恐れがあった。
【０００６】
本発明は、上記のような課題を解消するためになされたものであり、搬送用具に関する温度の異常を適切に検出できる携帯端末装置を提供することを目的とする。
【課題を解決するための手段】
【０００７】
本発明の携帯端末装置は、温度センサを有する温度検出装置であって、搬送用具に設置された１以上の温度検出装置が取得して送信する温度情報を受信する受信部と、受信部が受信した温度情報が、異常を検出するための予め決められた条件を満たすか否かを判断する判断部と、判断部が予め決められた条件を満たすと判断した場合に、異常に関する情報を出力する出力部とを備えた携帯端末装置である。
【０００８】
かかる構成により、搬送用具に設置された温度検出装置からの温度情報を用いて、搬送用具に関する温度の異常を適切に検出することができる。
【０００９】
また、本発明の携帯端末装置は、前記携帯端末装置において、受信部が温度情報を受信できない状況であるか否かを判断する受信状況判断部を更に備え、出力部は、受信状況判断部が、温度情報を受信できない状況であると判断した場合に、温度情報を受信できないことを示す情報である第一警告情報を出力する携帯端末装置である。
【００１０】
かかる構成により、温度情報が受信できない状況であることをユーザに通知することができる。これにより、例えば、温度情報が受信できないことに起因する搬送用具の温度調節漏れ等をなくすことができる。
【００１１】
また、本発明の携帯端末装置は、前記携帯端末装置において、搬送用具は、温度調節装置を有しており、出力部が出力する異常に関する情報は、搬送用具に設置された温度調節装置の起動指示である携帯端末装置である。
【００１２】
かかる構成により、搬送用具に関する温度が異常である場合に、搬送用具に関する温度を調節することができる。
【００１３】
また、本発明の温度検出装置は、温度センサと、温度センサが取得した温度情報を送信するセンサ送信部とを有しており、搬送用具に設置され、温度情報を取得して前記携帯端末装置に送信する温度検出装置である。
【００１４】
かかる構成により、搬送用具に関する温度情報を携帯端末装置に送信して、搬送用具に関する温度の異常を適切に検出させることができる。
【００１５】
また、本発明の温度検出装置は、前記温度検出装置において、携帯端末装置と通信ができない場合に、通信できないことを示す情報である第二警告情報を出力する警告出力部を更に備えた温度検出装置である。
【００１６】
かかる構成により、温度情報が送信できない状況であることユーザに通知することができる。これにより、例えば、温度情報が送信できないことに起因する搬送用具の温度調節漏れ等をなくすことができる。
【００１７】
また、本発明のベビーカーは、１以上の温度検出装置が設置された搬送用具であるベビーカーである。
【００１８】
かかる構成により、ベビーカーに関する温度が異常であることを適切に判断することができる。例えば、乳幼児を搬送する保護者では判断しにくいベビーカーに関する温度の異常を適切に検出することができる。また、例えば、寒暖の意思表示等が困難な乳幼児に代わって、ベビーカーに関する温度の異常を搬送を行う保護者等に適切に伝えることができる。
【００１９】
また、本発明のベビーカーは、前記ベビーカーにおいて、１以上の温度検出装置のうちの少なくとも１以上が下面に設置されているベビーカーである。
【００２０】
かかる構成により、例えば、地面から受ける太陽光の照り返しによるベビーカーに関する温度の異常を検出することができる。例えば、照り返しによってベビーカーや、搬送される乳幼児が受ける熱等による温度の異常を検出することができる。
【００２１】
また、本発明のチャイルドシートは、１以上の温度検出装置が設置された搬送用具であるチャイルドシートである。
【００２２】
かかる構成により、チャイルドシートに関する温度が異常な温度であることを適切に判断することができる。例えば、乳幼児を搬送する保護者では判断しにくいチャイルドシートの温度の異常を検出することができる。また、例えば、寒暖の意思表示等が困難な乳幼児に代わって、チャイルドシートに関する温度の異常を搬送を行う保護者等に適切に伝えることができる。
【００２３】
また、本発明のチャイルドシートは、前記チャイルドシートにおいて、温度検出装置の少なくとも２以上が足下及び背もたれに設置されているチャイルドシートである。
【００２４】
かかる構成により、乳幼児の背中の温度や、足下の温度の異常を適切に検出することができる。
【発明の効果】
【００２５】
本発明による携帯端末装置等によれば、搬送用具に関する温度の異常を適切に検出することができる。
【図面の簡単な説明】
【００２６】
【図１】実施の形態における温度検出システムのブロック図
【図２】実施の形態における温度検出装置が取り付けられた状態の搬送用具の一例を示す斜視図（図２（ａ））、及び側面図（図２（ｂ））
【図３】同温度検出装置が取り付けられた状態の搬送用具の他の例を示す斜視図
【図４】同携帯端末装置の動作について説明するフローチャート
【図５】同温度検出装置の動作について説明するフローチャート
【図６】同温度検出システムの動作を説明するための模式図
【図７】同携帯端末装置の装置管理情報を示す図
【図８】同携帯端末装置の条件管理情報を示す図
【図９】同携帯端末装置の受信情報管理表を示す図
【図１０】同携帯端末装置の表示例を示す図
【図１１】同携帯端末装置の表示例を示す図
【図１２】同携帯端末装置の表示例を示す図
【図１３】本発明の実施の形態におけるコンピュータシステムの構成の一例を示す図
【発明を実施するための形態】
【００２７】
以下、携帯端末装置等の実施形態について図面を参照して説明する。なお、実施の形態において同じ符号を付した構成要素は同様の動作を行うので、再度の説明を省略する場合がある。
【００２８】
（実施の形態）
図１は、本実施の形態における温度検出システム１０００のブロック図である。
【００２９】
図２は、本実施の形態における温度検出システム１０００の温度検出装置２が取り付けられた状態の搬送用具５０００の一例を示す斜視図（図２（ａ））、及び側面図（図２（ｂ））である。ここでは、搬送用具５０００がベビーカーである場合の例を示している。
【００３０】
図３は、本実施の形態における温度検出システム１０００の温度検出装置２が取り付けられた状態の搬送用具５０００の他の例を示す斜視図である。ここでは、搬送用具５０００が自動車等に設置可能なチャイルドシートである場合の例を示している。
【００３１】
温度検出システム１０００は、携帯端末装置１と、１または２以上の温度検出装置２とを備える。携帯端末装置１と温度検出装置２とは、例えば、無線通信や、有線通信により情報の送受信が可能となるよう接続されている。この無線通信や有線通信の接続方式や通信方式等はどのようなものであっても良い。携帯端末装置１と１または２以上の温度検出装置２とは、ネットワークを介して接続されていても良い。例えば、携帯端末装置１と温度検出装置２とは、Ｗｉーｆｉにより接続されても良く、Ｂｌｕｅｔｏｏｔｈ（登録商標）等により接続されても良い。携帯端末装置１に２以上の温度検出装置２が接続されている場合、異なる接続方式や通信方式の温度検出装置２が接続されても良い。
【００３２】
携帯端末装置１は、受信部１０１、判断部１０２、受信状況判断部１０３、及び出力部１０４を備える。
【００３３】
温度検出装置２は、温度センサ２０１、センサ送信部２０２、センサ受信部２０３、センサ判断部２０４、及び警告出力部２０５を備える。
【００３４】
搬送用具５０００は、１または２以上の温度検出装置２が設置される対象物である。搬送用具５０００は、例えば、人等の生体の搬送に利用される用具である。搬送用具５０００は、例えば、衣服の着脱等や、後述する温度調節装置５０１のオンオフ等の、温度の調節を自分で行うことが困難な搬送対象者や、暑い、寒い等の寒暖に対する意思表示を十分に行えない搬送対象者等を搬送するための搬送用具である。例えば、搬送用具５０００は、乳幼児等の被保護者や、身体障害者等の要介護者の搬送に利用される搬送用具である。例えば、搬送用具５０００は、図２に示すようなベビーカーである。また、搬送用具５０００は、図３に示すようなチャイルドシートであってもよい。また、搬送用具５０００は、図示しない車椅子等であってもよい。
【００３５】
搬送用具５０００は、例えば、１以上の温度調節装置５０１を有していても良い。温度調節装置５０１は、搬送用具を温度を調節するための装置であり、例えば、搬送用具を冷却したり、暖めたりする装置である。例えば、温度調節装置５０１は、冷却ファンや、ヒータ、ペルチェ冷却器等である。温度調節装置５０１は、どのように搬送用具５０００に設置されていても良い。例えば、温度調節装置５０１は、着脱可能に搬送用具５０００に設置されていても良い。
【００３６】
温度調節装置５０１は、例えば、起動指示に応じて、温度調節のための動作を行う温度調節部（図示せず）と、無線通信により、携帯端末装置１が送信する制御信号を受信する調節受信部（図示せず）と、調節受信部が受信した制御信号に応じて、温度調節部に対して、温度調節のオン、オフや、温度設定等を行う制御部（図示せず）とを備えている。
【００３７】
例えば、図２に示すように、温度調節装置５０１は、ベビーカーである搬送用具５０００のフード５００部分に取り付けられた外気をフード５００の内部に送風する無線制御可能な冷却ファンである。また、温度調節装置５０１は、ベビーカーの座面や背もたれやその内部に設けられた無線制御可能なシートヒータやペルチェ冷却器（図示せず）等であっても良い。また、温度調節装置５０１は、ベビーカーの足下に設けられたヒータであっても良い。なお、無線制御可能な冷却ファン等の温度調節装置５０１については、公知技術であるため、ここでは詳細な説明については省略する。
【００３８】
なお、図２のベビーカーは、搬送用具５０００の一例であり、本実施の形態の搬送用具５０００は、ベビーカーでなくても良い。また、図２の冷却ファンは、温度調節装置５０１の一例であり、本実施の形態の温度調節装置５０１は、冷却ファンでなくても良く、また、温度調節装置５０１は、図２に示すようなフード以外の位置に取り付けられていてもよい。また、温度調節装置５０１は、不要であれば省略しても良い。
【００３９】
携帯端末装置１は、携帯型の端末装置である。携帯端末装置１は、例えば、いわゆるスマートフォン等の多機能携帯電話、タブレット端末、携帯情報端末、携帯電話、ノート型コンピュータ、携帯型ナビゲーション装置等である。
【００４０】
受信部１０１は、搬送用具５０００に設置された１または２以上の温度検出装置２が取得して送信する温度情報を受信する。温度情報とは、温度を示す情報であり、例えば、温度の値や、温度検出装置２が有する温度センサ２０１の出力値等である。
【００４１】
受信部１０１は、例えば、一の温度検出装置２から、この温度検出装置２の識別子と対応づけられた温度情報を受信してもよい。このようにすることで、温度情報と対応づけられた識別子から、温度情報を送信した温度検出装置２を特定可能となる。温度検出装置２の識別子は、例えば、温度検出装置２の名称や、温度検出装置２に割り当てられた機器ＩＤ等のコードや、温度検出装置２のＩＰアドレスや、ＭＡＣアドレス等のアドレス情報である。温度検出装置２の名称は、温度検出装置２が設置される搬送用具５０００の位置の名称等であっても良い。また、受信部１０１は、更に、搬送用具５０００の識別子と対応づけられた温度情報を受信してもよい。搬送用具５０００の識別子は、例えば、搬送用具の名称や、搬送用具の所有者の名前や、搬送用具に割り当てられたコード等である。
【００４２】
受信部１０１は、通常、無線の通信手段で実現される。ただし、有線の通信手段で実現してもよい。受信部１０１は、通信デバイスを含むと考えても、含まないと考えても良い。
【００４３】
判断部１０２は、受信部１０１が受信した温度情報が、異常を検出するための予め決められた条件を満たすか否かを判断する。ここでの異常とは、例えば、温度検出装置２が設置された搬送用具５０００に関する温度の異常である。例えば、ここでの温度の異常は、搬送用具５０００自身の温度の異常や、この搬送用具５０００の周辺環境等の温度の異常である。また、ここでの異常は、搬送用具５０００による搬送対象に悪影響を及ぼしうる状況や、悪影響を及ぼす可能性の高い状況等と考えてもよい。また、異常を検出するための条件は、異常が起こりうる可能性が高い状態を検出するための条件も含むと考えてもよい。
【００４４】
判断部１０２は、例えば、搬送用具５０００に取り付けられた１以上の温度検出装置２からそれぞれ送信される温度情報が、異常を検出するための予め決められた条件を満たすか否かを判断する。判断部１０２は、例えば、複数の温度検出装置２のそれぞれについて、個別に判断結果を取得してもよい。この場合、受信部１０１が受信する温度情報の送信元となる温度検出装置２は、例えば、受信部１０１が受信した温度情報と対応づけられた温度検出装置２の識別子を用いて特定すればよい。
【００４５】
判断部１０２は、例えば、搬送用具５０００に２以上の温度検出装置２が設置されている場合、各温度検出装置２に対して個別に設けられた異常を検出するための条件を用いて、各温度検出装置２が送信する温度情報が、異常を検出するための予め決められた条件を満たすか否かを個別に判断するようにしてもよい。例えば、図示しない格納部に、搬送用具５０００に取り付けられた各温度検出装置２の識別子と、各温度検出装置２から送信される温度情報の異常をそれぞれ個別に検出するための予め指定された条件とを対応づけて有する情報を予め格納しておくようにし、判断部１０１は、受信部１０１が受信した温度情報と対応づけられた温度検出装置２の識別子と対応づけられた条件を、この図示しない格納部から取得し、受信した温度情報が取得した条件を満たすか否かを判断するようにしてもよい。
【００４６】
例えば、異常を検出するための予め決められた条件は、受信部１０１が一の温度検出装置２から受信した温度情報が示す値が、予め決められた異常となる範囲内の値であるという条件である。温度情報が示す値は、温度の値であっても良く、温度センサ２０１の出力値等であっても良い。予め決められた範囲は、例えば、予め指定された閾値以上の範囲や、予め指定された閾値以下の範囲である。あるいは、予め指定された第一の閾値と第二の閾値との間の範囲であっても良い。
【００４７】
例えば、判断部１０２は、上記の予め決められた異常となる範囲の上限や下限を示す閾値を用いて、予め決められた条件を満たすか否かを判断する。例えば、判断部１０２は、搬送用具５０００に取り付けられた一の温度検出装置２が送信した温度情報が示す温度の値が、予め決められた温度の上限を示す閾値以上の値である場合に、予め決められた条件を満たすと判断する。また、閾値を超えない場合には、条件を満たさないと判断する。
【００４８】
また、判断部１０２は、搬送用具５０００に設置された複数の温度検出装置２からそれぞれ受信した温度情報のうちの予め決められた数以上の温度情報が、複数の温度検出装置２に対して共通して設定された異常を検出するための一の条件を満たす場合に、異常を検出するための予め決められた条件を満たすと判断しても良い。また、判断部１０２は、搬送用具５０００に設置された複数の温度検出装置２からそれぞれ受信した温度情報のうちの予め決められた数以上の温度情報が、それぞれの送信元の温度検出装置２に対して設定された異常を検出するための条件を満たす場合に、異常を検出するための予め決められた条件を満たすと判断しても良い。ここでの設定された条件は、例えば、上述したような温度情報が示す値が、予め決められた範囲内の値であるという条件である。
【００４９】
例えば、搬送用具５０００に設置された二つの温度検出装置２を第一の温度検出装置２ｐ及び第二の温度検出装置２ｑとすると、判断部１０２は、搬送用具５０００に設置された第一の温度検出装置２ｐから受信した温度情報が示す温度の値と、第二の温度検出装置２ｑから受信した温度の値とのうちの１以上が、第一の温度検出装置２ｐ及び第二の温度検出装置２ｑに対して共通して予め設定された閾値以上の値である場合に、異常を検出するための条件を満たすと判断しても良い。
【００５０】
また、例えば、判断部１０２は、搬送用具５０００に設置された第一の温度検出装置２ｐから受信した温度情報が示す温度の値が、第一の温度検出装置２ｐに対して予め設定された閾値以上である場合、及び、第二の温度検出装置２ｑから受信した温度の値が、第二の温度検出装置２ｑに対して予め設定された閾値以上である場合の少なくとも一方の場合に、条件を満たすと判断しても良い。
【００５１】
また、判断部１０２は、搬送用具５０００に設置された複数の温度検出装置２からそれぞれ受信した温度情報が示す温度等の値を統計処理して得られた値が、異常を検出するための予め決められた範囲内の値である場合に、条件を満たすと判断してもよい。統計処理して得られる値は、例えば、平均値や、最大値、最小値等である。
【００５２】
また、判断部１０２は、異常を検出するための条件に対して、この条件で検出可能な異常を示す情報や、異常の種類を示す情報を対応づけておくようにし、この条件を満たす場合に、この異常や異常の種類を示す情報を取得するようにしても良い。
【００５３】
また、判断部１０２は、受信部１０１が受信した温度情報に対して、２以上の異なる異常を検出するための予め決められた条件を満たすか否かを判断する処理をそれぞれ行っても良い。これにより、判断部１０２は、例えば、一の温度情報について２以上の判断結果を取得しても良い。例えば、高温であるという異常を判断するための条件と、低温であるという異常を判断するための条件とをそれぞれ用いて判断を行うようにしても良い。また、この２以上の判断結果の組み合わせに応じて、一の判断結果を取得しても良い。
【００５４】
なお、異常を検出するための予め指定された条件を満たすか判断するということは、実質的に正常であることを検出するための条件を満たさないことを判断することと同じであると考えてもよい。
【００５５】
受信状況判断部１０３は、受信部１０１が温度情報を受信できない状況であるか否かを判断する。温度情報を受信できない状況とは、例えば、何らかの理由により、受信部１０１が、１または２以上の温度検出装置２から温度情報が受信できていない状況や、受信できないと判断される状況を意味する。
【００５６】
例えば、受信状況判断部１０３は、予め指定された時間以上、一の温度検出装置２から温度情報を受信していない場合に、温度情報を受信できない状況であると判断する。また、一の温度検出装置２に、図示しない送信部等から、通信の疎通を確認するための情報を送信した場合において、応答が得られなかった場合に、温度情報を受信できない状況であると判断する。受信状況判断部１０３は、例えば、温度検出装置２毎に、個別に温度情報を受信できない状況であるか否かを確認してもよい。
【００５７】
また、受信状況判断部１０３は、例えば、搬送用具５０００に複数の温度検出装置２が設定されている場合において、一の温度検出装置２が温度情報を受信できないと判断した場合に、複数の温度検出装置２から温度情報を受信できない状況であると判断してもよい。なお、受信部１０１が受信する温度情報の送信元となる１または２以上の温度検出装置２の識別子を、例えば、予め図示しない格納部等に蓄積しておくようにし、この蓄積された識別子が示す１または２以上の温度検出装置２から、温度情報を受信していない時間が、予め指定された時間以上であるか否かをそれぞれ判断することで、受信状況判断部１０３が、各温度検出装置２から温度情報を受信できない状況であるか否かを個別に判断しても良い。
【００５８】
受信状況判断部１０３は、通常、無線または有線の通信手段で実現されるが、放送を受信する手段で実現されても良い。受信状況判断部１０３は、通信デバイスを含むと考えても、含まないと考えても良い。
【００５９】
出力部１０４は、判断部１０２が異常を検出するための予め決められた条件を満たす場合に、異常に関する情報を出力する。異常に関する情報は、例えば、異常が発生したことを通知するための情報や、異常が発生する可能性が高いことを注意喚起するための情報や、異常に対して対処するための情報である。
【００６０】
異常が発生したことを通知するための情報は、例えば、異常が発生したことを示すためのテキストや、画像や、音声の情報である。異常が発生したことを示す音声は、警告音や、警告を示す文字列を読み上げた音声等である。異常が発生する可能性が高いことを注意喚起するための情報は、注意喚起のためのテキストや、画像や、音声の情報である。注意喚起の音声は、警告音や、注意を喚起するための文字列を読み上げた音声等である。
【００６１】
異常に対して対処するための情報は、例えば、搬送用具５０００に設けられた温度調節装置５０１の起動指示であってもよい。温度調節装置５０１の起動指示は、例えば、搬送用具５０００に設けられた温度調節装置５０１をオンする、即ち動作させるための指示である。また、起動指示に加えて、制御目標となる温度を指定するための制御信号等を出力しても良い。例えば、出力部１０４は、温度調節装置５０１をオンするための起動指示を温度調節装置５０１に送信することにより、温度調節装置５０１を動作させるようにしてもよい。例えば、判断部１０２が、温度情報が示す温度の値が、予め指定された条件を満たすと判断した場合に、出力部１０４は、温度調節装置５０１である冷却ファンに動作を指示する起動指示を送信する。例えば、予め図示しない格納部等に、判断部１０２が異常を検出するために用いる条件と、出力部が出力する起動指示等を対応づけて蓄積しておくようにし、判断部１０２が一の条件を満たすと判断した場合に、出力部１０４は、この条件と対応づけられた起動指示を温度調節装置５０１に出力するようにすればよい。
【００６２】
出力部１０４は、例えば、上述したように受信状況判断部１０３が、温度情報を受信できない状況であると判断した場合に、温度情報を受信できないことを示す情報である第一警告情報を出力する。第一警告情報は、温度情報を受信できないことを示す文字列や、画像や、音声等の情報である。第一警告情報は、温度情報を受信できない温度検出装置２を示す情報（例えば、温度検出装置２の識別子等）を有する情報であってもよい。
【００６３】
なお、出力部１０４は、受信部１０１が温度情報を受信した場合に、この温度情報を送信した温度検出装置２に、温度情報を受信したことを示す情報（以下、受信確認情報と称す）を送信するようにしても良い。
【００６４】
ここでの出力とは、ディスプレイへの表示、音出力、外部の装置への送信、記録媒体への蓄積、他の処理装置や他のプログラムなどへの処理結果の引渡しなどを含む概念である。
【００６５】
出力部１０４は、ディスプレイやスピーカー等の出力デバイスを含むと考えても含まないと考えても良い。出力部１０４は、出力デバイスのドライバーソフトまたは、出力デバイスのドライバーソフトと出力デバイス等で実現され得る。
【００６６】
温度検出装置２は、搬送用具５０００に設置されている。一の搬送用具５０００に対して、１または２以上の温度検出装置２が設置される。温度検出装置２は、例えば、搬送用具５０００に関する温度を取得する装置である。搬送用具５０００に関する温度とは、例えば、搬送用具５０００の温度や、搬送用具５０００の周辺の温度である。温度検出装置２が設置されている位置は問わない。また、温度検出装置２の設置方法等は問わない。例えば、温度検出装置２は、搬送用具５０００に着脱可能となるようクリップや、ボタン、面ファスナ等により取り付けられる。
【００６７】
以下、温度検出装置２の取り付け位置の例について説明する。ここでは、説明の便宜上、複数の温度検出装置２を温度検出装置２ａ−２ｅで表す。
【００６８】
例えば、図２（ａ）、及び図２（ｂ）に示すように、ベビーカーである搬送用具５０００に対し、温度検出装置２ａをフード５００上に設置し、温度検出装置２ｂを下面５０３に設置し、温度検出装置２ｃを背もたれ５０２に設置してもよい。ここでの下面５０３は、ベビーカーの下側の面である。ここでの下面５０３は、ベビーカーの地面に対向する面と考えてもよい。下面５０３は、例えば、ベビーカーのシートや座面の裏側である。また、ベビーカーの下方に設置されているバスケット（図示せず）等の下面であっても良い。また、ベビーカーの足置き等の下側であっても良い。例えば、フード５００上に設置された温度検出装置２ａにより、ベビーカーの直射日光があたる部分の温度を測定することができる。また、下面５０３に設置された温度検出装置２により、地面からの太陽光の照り返しを受けた部分において温度を測定することができる。また、背もたれ５０２に設置された温度検出装置２ｃにより、ベビーカーに座った乳幼児の背中側の温度を測定することができる。なお、温度検出装置２ｃを背もたれ５０２に設置するということは、例えば、背もたれ５０２の表面材（例えば布）上、背もたれ５０２の表面材の下、及び図示しない背もたれのクッション材の中のうちのいずれの場所に設置することである。
【００６９】
また、例えば、図３に示すように、チャイルドシートである搬送用具５０００に対し、温度検出装置２ｄを背もたれ５０４に設置し、温度検出装置２ｅを足下５０５に設置してもよい。これにより、チャイルドシートに座った乳幼児の背中側の温度や足下の温度を測定することができ、乳幼児が不快に感じる状況を検知できる。なお、温度検出装置２を背もたれ５０４や足下５０３に設置するということは、背もたれ５０４や足下５０３の表面材（例えば布）上、背もたれや足下の表面材の下、及び図示しない背もたれ５０４や足下５０３のクッション材の中のうちのいずれの場所に設置することである。
【００７０】
なお、上記においては、説明の便宜上、搬送用具５０００に複数の温度検出装置２を設置した場合を例に挙げて説明したが、これらのうちの一部だけが搬送用具５０００に設置されていてもよい。また、上記以外の位置に温度検出装置２を設置しても良いことはいうまでもない。
【００７１】
温度センサ２０１は、温度を測定するためのセンサである。温度センサ２０１は、温度情報を取得する。温度センサ２０１は、例えば、温度を測定可能なセンサであれば、どのような方式のセンサであっても良い。例えば、温度センサ２０１は、接触式のセンサであっても、非接触のセンサであっても良い。例えば、温度センサ２０１は、サーミスタや、熱電対、トランジスタの温度特性を利用したセンサであっても良く、搬送用具から放射される赤外線量から温度を測定するセンサであってもよい。温度センサ２０１が温度情報を取得するタイミング等は問わない。例えば、予め指定された時間毎に、温度情報を取得する。温度センサ２０１の構造等については、公知技術であるため、ここでは詳細な説明は省略する。
【００７２】
温度センサ２０１は、温度検出装置２が設置された搬送用具５０００の表面や内部の温度を測定しても良く、搬送用具５０００以外の部分、例えば、搬送用具５０００の周辺の温度を測定しても良い。例えば、搬送用具５０００の周辺の空気の温度を測定しても良く、また、搬送用具５０００に接触する人の温度等を測定してもよい。温度センサ２０１は、通常、温度検出装置２が設置された位置の近傍の温度を測定する。
【００７３】
センサ送信部２０２は、温度センサ２０１が取得した温度情報を、携帯端末装置１に送信する。例えば、センサ送信部２０２は、温度センサ２０１が取得した温度情報を、温度検出装置２の識別子と対応づけて送信する。例えば、センサ送信部２０２は、温度情報と識別子との対を送信する。温度検出装置２の識別子は、例えば、温度検出装置２の図示しない格納部に予め格納されている識別子を適宜読み出すようにすればよい。
【００７４】
なお、センサ送信部２０２は、例えば、センサ受信部２０３が、携帯端末装置１から、通信の疎通を確認するための情報を受信した場合に、受信したことを示す情報を、携帯端末装置１に送信するようにしてもよい。
【００７５】
また、センサ送信部２０２は、予め指定されたタイミング等に、携帯端末装置１との通信の疎通を確認するための情報を、携帯端末装置１に送信するようにしても良い。予め指定されたタイミングとは、例えば、予め指定された時間間隔ごとや、予め指定された１または２以上の時刻等である。
【００７６】
センサ送信部２０２は、通常、無線の通信手段で実現されるが、有線の通信手段で実現されても良い。センサ送信部２０２は、通信デバイスを含むと考えても、含まないと考えても良い。
【００７７】
センサ受信部２０３は、携帯端末装置１から送信される情報を受信する。例えば、センサ受信部２０３は、携帯端末装置１から送信される通信の疎通を確認するための情報を受信する。通信の疎通を確認するための情報とは、通信が可能であるか否かを確認するための情報であってもよい。また、センサ受信部２０３は、例えば、センサ送信部２０２が送信した通信の疎通を確認するための情報を受信したことを示す情報を携帯端末装置１から受信してもよい。また、センサ受信部２０３は、携帯端末装置１から、受信確認情報を受信してもよい。
【００７８】
センサ受信部２０３は、通常、無線の通信手段で実現されるが、有線の通信手段で実現されても良い。センサ受信部２０３は、通信デバイスを含むと考えても、含まないと考えても良い。
【００７９】
センサ判断部２０４は、このセンサ判断部２０４を有する温度検出装置２が、携帯端末装置１と通信できる状況にあるか否かを判断する。センサ判断部２０４が、どのように携帯端末装置１と通信できる状況にあるか否かを判断するかは問わない。例えば、センサ判断部２０４は、センサ送信部２０２が温度情報を送信した直後の予め決められた時間内に、携帯端末装置１から受信確認情報を受信できなかった場合に、通信できない状況にあると判断する。また、例えば、センサ送信部２０２が携帯端末装置１に通信の疎通を確認するための情報を送信した直後の予め決められた時間内に、この情報を受信したことを示す情報を、携帯端末装置１から受信できなかった場合に、通信できない状況にあると判断してもよい。
【００８０】
警告出力部２０５は、温度検出装置２が、携帯端末装置１と通信ができない場合に、第二警告情報を出力する。第二警告情報は、携帯端末装置１と通信できないことを示す情報である。第二警告情報は、携帯端末装置１と通信できないことを、ユーザに警告するための情報と考えてもよい。例えば、第二警告情報は、携帯端末装置１と通信できないことを示す音や光や文字列や画像等の情報である。また、振動の出力であってもよい。例えば、第二警告情報の出力は、ブザー音の出力や、光の点滅である。なお、ここでの出力は、ディスプレイへの表示、音出力、他の処理装置や他のプログラム等への処理結果の引渡し等を含む概念である。
【００８１】
警告出力部２０５は、ディスプレイやスピーカー等の出力デバイスを含むと考えても含まないと考えても良い。警告出力部２０５は、出力デバイスのドライバーソフトまたは、出力デバイスのドライバーソフトと出力デバイス等で実現され得る。
【００８２】
次に、温度検出システム１０００の携帯端末装置１の動作の一例について図４のフローチャートを用いて説明する。なお、ここでは、図示しない格納部等に、この携帯端末装置１１に対して温度情報を送信する１以上の温度検出装置２の識別子である装置識別子が予め格納されているものとする。
【００８３】
（ステップＳ１０１）受信部１０１は、温度情報を受信したか否かを判断する。受信した場合、ステップＳ１０２に進み、受信していない場合、ステップＳ１０７に進む。ここでは、一例として、受信部１０１は、温度情報と、この温度情報を送信した温度検出装置２の装置識別子との組を受信するものとする。
【００８４】
（ステップＳ１０２）受信部１０１は、ステップＳ１０１で受信した温度情報と装置識別子との組を図示しない格納部等に蓄積する。ここでは、温度情報と装置識別子との組を、温度情報の受信時刻と対応づけて蓄積する。ここでの蓄積は一時記憶であっても良い。なお、受信時刻は、例えば、携帯端末装置１が有する図示しない時計等から取得すればよい。
【００８５】
（ステップＳ１０３）出力部１０４は、受信確認情報を、ステップＳ１０１で受信した温度情報と対応づけられた装置識別子が示す温度検出装置２に送信する。
【００８６】
（ステップＳ１０４）判断部１０２は、ステップＳ１０１で受信した装置識別子に対応する異常を検出するための条件を示す情報を取得する。例えば、温度情報が示す温度が異常である場合の範囲を示す閾値を取得する。この条件は、装置識別子毎に異なるものであっても良く、共通のものであっても良い。例えば、温度情報が示す温度が異常である場合の下限を示す閾値を取得する。
【００８７】
（ステップＳ１０５）判断部１０２は、ステップＳ１０１で受信した温度情報が示す温度が、ステップＳ１０４で取得した条件を満たすか否かを判断する。例えば、温度情報が、正常な範囲を示す上限値以上であるか否かを判断し、上限値以上であれば、異常であることを示す条件を満たすと判断し、ステップＳ１０６に進み、上限値以上でなければ、ステップＳ１０１に戻る。
【００８８】
（ステップＳ１０６）出力部１０４は、異常に関する情報を出力する。例えば、出力部１０４は、ステップＳ１０１で受信した装置識別子が示す温度検出装置２が検出した温度が異常であることを示す情報を出力、例えば表示する。例えば、装置識別子と、温度情報が示す温度と、異常であることを示す文字列や画像等を図示しないモニタ等に出力する。また、例えば、異常が検出されたことを示す音声（例えば警告音等）を出力する。また、出力部１０４は、例えば、搬送用具５０００が有する温度調節装置５０１に対して、温度調節のための動作を実行させる起動指示を送信する。そして、ステップＳ１０１に戻る。
【００８９】
（ステップＳ１０７）受信状況判断部１０３は、カウンターｎに１を代入する。
【００９０】
（ステップＳ１０８）受信状況判断部１０３は、ｎ番目の温度検出装置２から温度情報を受信していない時間が、予め決められた時間以上であるか否かを判断する。例えば、ステップＳ１０２でｎ番目の温度検出装置２の装置識別子と対応づけて蓄積した受信時刻と、図示しない時計等から取得した現在時刻との差が、予め決められた時間以上であるか否かを判断する。ｎ番目の温度検出装置２は、携帯端末装置１に対して温度情報を送信する１または２以上の温度検出装置２のうちのｎ番目の温度検出装置２であり、例えば、上述したような図示しない格納部に格納されている携帯端末装置１に対して温度情報を送信する１または２以上の温度検出装置２装置識別子のうちの、ｎ番目の装置識別子が示す温度検出装置２である。
【００９１】
（ステップＳ１０９）受信状況判断部１０３は、ステップＳ１０８の判断により、予め決められた時間以上経過したと判断された場合、ステップＳ１１０に進み、経過していないと判断された場合、ステップＳ１１１に進む。
【００９２】
（ステップＳ１１０）出力部１０４は、第一警告情報を出力する。例えば、ｎ番目の温度検出装置２について、温度情報が受信できていない状況であることを示す情報を、図示しないモニタ等に表示する。また、例えば、温度情報が受信できていない状況であることを示す音声（例えば警告音）を出力する。
【００９３】
（ステップＳ１１１）判断部１０４は、カウンターｎを１インクリメントする。
【００９４】
（ステップＳ１１２）判断部１０４は、ｎ番目の温度検出装置２があるか否かを判断する。ある場合、ステップＳ１０８に戻り、ない場合、ステップＳ１０１に戻る。
【００９５】
なお、図４のフローチャートにおいて、電源オフや処理終了の割り込みにより処理は終了する。
【００９６】
次に、温度検出システム１０００の、一の温度検出装置２の動作の一例について図５のフローチャートを用いて説明する。
【００９７】
（ステップＳ２０１）センサ判断部２０４は、温度を測定するタイミングであるか否かを判断する。温度を測定するタイミングとは、例えば、起動直後や、前回温度を測定してから予め決められた時間が経過した時点である。温度を測定するタイミングである場合、、ステップＳ２０２に進み、タイミングでない場合、ステップＳ２０４に進む。
【００９８】
（ステップＳ２０２）温度センサ２０１は、温度を測定して、温度情報を取得する。
【００９９】
（ステップＳ２０３）センサ送信部２０２は、ステップＳ２０２で取得した温度情報を、携帯端末装置１に送信する。そして、ステップＳ２０１に戻る。
【０１００】
（ステップＳ２０４）センサ受信部２０３は、携帯端末装置１から、温度情報を受信したことを示す情報を受信したか否かを判断する。受信した場合、受信した時刻を示す情報を、図示しない格納部等に蓄積して、ステップＳ２０１に戻る。また、受信していない場合、ステップＳ２０５に進む。
【０１０１】
（ステップＳ２０５）センサ判断部２０４は、温度情報を受信したことを示す情報を最後に受信した時刻から、予め決められた時間が経過したか否かを判断する。例えば、図示しない時計等から現在の時刻を取得し、ステップＳ２０４で蓄積した最後に受信した時刻を示す情報が示す時刻との差が、予め決められた時間以上であるか否かを判断し、予め決められた時間以上である場合、予め決められた時間が経過したと判断する。予め決められた時間が経過した場合、ステップＳ２０６に進み、経過していない場合、ステップＳ２０１に戻る。なお、センサ受信部２０３が、一度も受信確認情報を受信していない場合、温度検出装置２が最初の温度情報を送信した時刻を、上記の受信確認情報を最後に受信した時刻の代わりに用いても良い。
【０１０２】
（ステップＳ２０６）警告出力部１０４は、警告情報を出力する。例えば、警告音等を出力する。そして、処理を終了する。
【０１０３】
次に、温度調節装置５０１の動作について簡単に説明する。温度調節装置５０１の図示しない受信部が、携帯端末装置１の出力部１０４等から、異常に関する情報として温度調節を行う指示を受信すると、温度調節装置５０１は、温度を調節するための動作を行う。例えば、温度調節装置５０１が図示しない温度調節部として冷却ファンを有する場合、冷却ファンを回転させる。
【０１０４】
以下、本実施の形態における温度検出システム１０００の具体的な動作について説明する。
【０１０５】
図６は、本実施の形態における温度検出システム１０００の具体的な動作を説明するための模式図である。ここでは、携帯端末装置１が、モニタ１０４ａを備えたいわゆるスマートフォンであり、温度検出装置２が取り付けられた搬送用具５０００が、図２に示したベビーカーである場合を例に挙げて説明する。なお、ベビーカーである搬送用具５０００には、図２と同様の位置に３つの温度検出装置２ａ−２ｃが設置されており、更に、図２と同様の位置に、冷却ファンを備えた温度調節装置５０１を有しているものとする。また、搬送用具５０００には、乳幼児が着席しているものとする。
【０１０６】
図７は、携帯端末装置１に対して温度情報を送信する温度検出装置２の装置識別子を管理するための装置管理情報である。装置管理情報は、携帯端末装置１の図示しない格納部に予め格納されている。装置管理情報は、「装置ＩＤ」と、「場所」という属性を有している。「装置ＩＤ」は、温度検出装置２の識別子であり、ここでは、温度検出装置２に個別に割り当てられたコードであるとする。「場所」は、携帯端末装置１が取り付けられる搬送用具の位置を示す文字列の情報である。なお、「場所」の属性値も、装置識別子の一つとして考えてもよい。なお、装置ＩＤ「１０００１」は温度検出装置２ａの装置識別子、装置ＩＤ「１０００２」は温度検出装置２ｂの装置識別子、装置ＩＤ「１０００３」は温度検出装置２ｃの装置識別子であるとする。
【０１０７】
図８は、温度情報が示す温度の異常を検出するための条件を、温度検出装置２毎に管理する条件管理情報である。条件管理情報は、携帯端末装置１の図示しない格納部に予め格納されている。条件管理情報は、「装置ＩＤ」と、「閾値」という属性を有している。「装置ＩＤ」は、携帯端末装置１の装置識別子であり、図７の「装置ＩＤ」に対応している。「閾値」は、温度の異常を検出するための条件であり、ここでは、異常と判断される温度の下限を示す閾値である。
【０１０８】
搬送用具５０００に設置された温度検出装置２ａ−２ｃの温度センサ２０１は、それぞれ、予め指定された時間間隔毎（例えば、３０秒毎）に温度を測定して温度情報を取得し、取得した温度情報を各温度検出装置２の装置識別子と対応づけて携帯端末装置１に送信する。装置識別子は、図７の「装置ＩＤ」と同様の値であるとする。
【０１０９】
例えば、温度検出装置２ｂが、「３４．８度」という温度情報を取得し、取得した温度情報「３４．８度」を、温度検出装置２ｂの装置識別子「１０００２」と対応づけて携帯端末装置１に送信したとする。
【０１１０】
携帯端末装置１の受信部１０１は、温度検出装置２ｂから送信される温度情報「３４．８度」と、装置識別子「１０００２」との組を受信すると、図示しない時計等から取得した受信時刻「１３時５５分３０秒」と対応づけて図示しない格納部に蓄積する。また、出力部１０４は、受信した装置識別子「１０００２」が示す温度検出装置２ｂに受信確認情報を送信する。なお、ここでは、既に同じ装置識別子と対応づけられた温度情報及び受信時刻が蓄積されている場合、蓄積されている情報を新たな情報で更新する。例えば、上書きを行う。
【０１１１】
図９は、受信部１０１が蓄積した温度情報と装置識別子と受信時刻との組を管理する受信情報管理表である。受信情報管理表は、「装置ＩＤ」と、「温度」と、「時刻」とを有している。「装置ＩＤ」は、図７等の「装置ＩＤ」に対応する。「温度」は、温度情報である。「時刻」は、温度情報の受信時刻である。
【０１１２】
判断部１０２は、受信部１０１が受信した温度情報が、異常を検出するための条件を満たすか否かの判断を行う。具体的には、判断部１０２は、受信部１０１が温度情報とともに受信した装置識別子「１０００２」を取得し、図８に示した条件管理情報の「装置ＩＤ」が「１０００２」と一致するレコードの「閾値」の属性値である「３４．０」を取得する。そして、受信部１０１が受信した温度情報が、この取得した閾値「３４．０」度以上の値であるか否かを判断する。ここでは、受信した温度情報「３４．８」度は、閾値以上の値であるため、判断部１０２は、異常を検出するための条件を満たすと判断する。
【０１１３】
判断部１０２が、受信部１０１の受信した温度情報が異常を検出するための条件を満たすと判断したため、出力部１０４は、異常に関する情報を出力する。具体的には、出力部１０４は、図示しないスピーカー等から予め決められた警告音を発する。また、出力部１０４は、受信部１０１が受信した装置識別子「１０００２」に対応する「場所」の属性値「下面」を、図７の装置管理情報から取得し、取得した属性値「下面」と、受信部１０１が受信した温度情報「３４．８」とを、図示しない格納部等に予め格納されていたテンプレート等に配置して作成した文字列の情報を携帯端末装置１のモニタ１０４ａに表示する。具体的には、「ベビーカーの下面が非常に熱くなっています。３４．８度  対策が必要です。」という文字列を表示する。
【０１１４】
図１０は、出力部１０４による異常に関する情報の表示例を示す図である。
【０１１５】
なお、出力部１０４は、上記の表示の代わりに、図７に示した装置管理情報及び図９に示した受信情報管理情報から、同じ「装置ＩＤ」に対応する「温度」の属性値と「場所」の属性値との組を取得して、図１１に示すように、取得した組をリスト状に上下方向に配列するとともに、上記で異常に関する条件を満たすと判断された装置識別子「１０００２」に対応する組が配置された行１０４１を他と異なる表示態様とし、更に、この組の横に、異常に加熱したことを示すマーク１０４２を配置した画像等を表示するようにしても良い。
【０１１６】
また、出力部１０４は、搬送用具５０００の温度調節装置５０１に対して起動指示を送信する。
【０１１７】
この起動指示を受信した温度調節装置５０１は、温度調節を開始する。ここでは、例えば、図示しない冷却ファンを回転させる。
【０１１８】
受信状況判断部１０３は、例えば、受信部１０１が温度情報を受信していないとき、あるいは、受信部１０１等の受信処理等に並列して、受信部１０１が温度情報を受信できない状況であるか否かを判断する処理を行う。具体的には、図９に示した受信情報管理情報から、各「装置ＩＤ」に対応した「時刻」の値を取得し、図示しない現在時刻との差が、予め指定された時間以上であるか否かを判断する。例えば、現在時刻が、「１３時５５分３２秒であり、予め指定された時間が、１２０秒であったとすると、装置識別子「１０００１」に対応する時刻「１３時５３分３０秒」と、現在時刻との差が「２分２秒」であるため、装置識別子「１０００１」から最後に温度情報を受信してから、予め指定された時間以上経過したと判断される。このため、この装置識別子「１０００１」が示す温度検出装置２ｂについて、温度情報を受信できない状況であると判断する。このため、出力部１０４は、第一警告情報を出力する。具体的には、出力部１０４は、第一警告情報として、予め決められた警告音を出力する。また、出力部１０４は、この装置識別子「１０００１」に対応する「場所」の属性値「フード」を、図７の装置管理情報から取得して、図示しないテンプレート等配置して作成した文字列の情報を、第一警告情報としてモニタ１０４ａに表示する。
【０１１９】
図１２が、出力部１０４による第一警告情報の表示例を示す図である。
【０１２０】
なお、他の「装置ＩＤ」に対応した「時刻」の値と現在時刻との差は１２０秒以下であるため、これらについては、第一警告情報を出力しない。
【０１２１】
これにより、温度情報を受信できない状況にあることや、温度情報を受信できない温度検出装置２をユーザに通知することができる。
【０１２２】
なお、現在時刻や受信時刻を用いる代わりに、温度情報の受信時から時刻をカウントするようにし、このカウント値が、予め指定された時間を経過したか否かを判断するようにしてもよい。この場合、新たな温度情報を受信する毎に、カウントをリセットすることが好ましい。かかることは、以下の温度検出装置２が携帯端末装置１と通信できるか否かを判断する処理等においても同様に利用可能である。
【０１２３】
携帯端末装置１に１以上の温度情報を送信した温度検出装置２のセンサ判断部２０４は、センサ受信部２０３が携帯端末装置１から受信確認情報を受信したか否かを判断する処理を繰り返す。そして、例えば、センサ判断部２０４は、直前に受信確認情報を受信してからの経過時間が、予め指定された時間を超えたか否かを判断する。また、受信確認情報を一度も受信していない場合においては、最初に温度情報を送信してからの経過時間が予め指定された時間を超えたか否かを判断する。予め指定された時間は、温度情報を繰り返し送信する際の時間間隔よりも長い時間であることが好ましい。予め指定された時間以上となったとセンサ判断部２０４が判断した場合に、警告出力部２０５は、第二警告情報を出力する。例えば、警告音を出力する。これにより、携帯端末装置１と通信ができない温度検出装置２をユーザに通知することができる。
【０１２４】
以上、本実施の形態によれば、搬送用具に設置された温度検出装置が取得した温度情報を用いて、搬送用具に関する温度の異常を適切に検出することができる。
【０１２５】
例えば、搬送用具においては、搬送を行うユーザの高さ位置と、搬送用具５０００により搬送される高さ位置とが異なるため、搬送を行うユーザが搬送用具に関する温度状況を適切に判断することが困難であるが、本実施の形態においては、搬送用具に設置された温度検出装置が出力する温度情報で、搬送用具に関する温度の異常を検出するため、適切に精度良く搬送用具に関する温度の異常を適切に検出することができる。例えば、搬送用具が、ベビーカーや車椅子等である場合、地面からの照り返し等による、ベビーカーや車いす等を押す保護者や介護者が気づきにくい熱さを検出して、異常を通知することができ、保護者や介護者が気づきにくい温度状況の異常を適切に検知して、通知することができる。
【０１２６】
また、特に、搬送用具が、自分で温度調節を行うことが困難であったり、温度に関しての暑い、寒い等の意思表示を適切に行えない乳幼児等の被保護者や、要介護者を搬送するためのものである場合においては、搬送を行う保護者が介護者が、絶えず搬送時の温度状況に注意を払っていなくても、温度の異常を適切に検知して保護者や介護者に通知することができるため、保護者や、介護者の負担を減らすことができる。
【０１２７】
なお、上記実施の形態において、一の温度検出装置２が、２以上の温度センサ２０１を有しているようにしても良い。この場合、温度検出装置２は、各温度センサ２０１が測定によって取得した温度情報を、各温度センサ２０１の識別子と対応づけて携帯端末装置１に送信するようにすればよい。また、携帯端末装置１においては、各温度センサ２０１の識別子と対応づけて受信した温度情報を、それぞれ、上記実施の形態の温度検出装置２の装置識別子と対応づけられた温度情報の代わりに用いるようにすればよい。
【０１２８】
なお、上記実施の形態において、各処理（各機能）は、単一の装置（システム）によって集中処理されることによって実現されてもよく、あるいは、複数の装置によって分散処理されることによって実現されてもよい。
【０１２９】
また、上記各実施の形態において、一の装置に存在する２以上の通信手段（受信部１０１や出力部１０４等）は、物理的に一の媒体で実現されても良いことは言うまでもない。
【０１３０】
また、上記各実施の形態では、携帯端末装置がスタンドアロンである場合について説明したが、携帯端末装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１３１】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１３２】
なお、上記各実施の形態における携帯端末装置を実現するソフトウェアは、以下のようなプログラムである。つまり、このプログラムは、コンピュータを、温度センサを有する温度検出装置であって、搬送用具に設置された１以上の温度検出装置が取得して送信する温度情報を受信する受信部と、受信部が受信した温度情報が、異常を検出するための予め決められた条件を満たすか否かを判断する判断部と、判断部が予め決められた条件を満たす場合に、異常に関する情報を出力する出力部として機能させるためのプログラムである。
【０１３３】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１３４】
また、このプログラムを実行するコンピュータは、単数であってもよく、複数であってもよい。すなわち、集中処理を行ってもよく、あるいは分散処理を行ってもよい。
【０１３５】
図１３は、上記プログラムを実行して、上記実施の形態による携帯端末装置を実現するコンピュータシステム９００の一例を示す図である。上記実施の形態は、コンピュータハードウェア及びその上で実行されるコンピュータプログラムによって実現されうる。
【０１３６】
図１３において、コンピュータシステム９００は、ＭＰＵ（Ｍｉｃｒｏ  Ｐｒｏｃｅｓｓｉｎｇ  Ｕｎｉｔ）９１１と、ブートアッププログラム等のプログラムや、アプリケーションプログラム、システムプログラム、及びデータが記憶されるフラッシュメモリ等のＲＯＭ９１２と、ＭＰＵ９１１に接続され、アプリケーションプログラムの命令を一時的に記憶すると共に、一時記憶空間を提供するＲＡＭ９１３と、タッチパネル９１４と、無線通信モジュール９１５と、ＭＰＵ９１１、ＲＯＭ９１２等を相互に接続するバス９１６とを備える。なお、無線通信モジュール９１５に代えて、有線通信モジュールを備えていてもよい。また、タッチパネル９１４に代えて、ディスプレイと、マウスやキーボード等の入力デバイスとを備えていてもよい。
【０１３７】
コンピュータシステム９００に、上記実施の形態による携帯端末装置の機能を実行させるプログラムは、無線通信モジュール９１５を介してＲＯＭ９１２に記憶されてもよい。プログラムは実行の際にＲＡＭ９１３にロードされる。なお、プログラムは、ネットワークから直接、ロードされてもよい。
【０１３８】
プログラムは、コンピュータシステム９００に、上記実施の形態による携帯端末装置の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１３９】
本発明は、以上の実施の形態に限定されることなく、種々の変更が可能であり、それらも本発明の範囲内に包含されるものであることは言うまでもない。
【産業上の利用可能性】
【０１４０】
以上のように、本発明にかかる携帯端末装置は、温度の情報を処理する装置として適しており、特に、搬送用具の温度の情報を処理する装置等として有用である。
【符号の説明】
【０１４１】
１  携帯端末装置
２  温度検出装置
１０１  受信部
１０２  判断部
１０３  受信状況判断部
１０４  出力部
１０４ａ  モニタ
２０１  温度センサ
２０２  センサ送信部
２０３  センサ受信部
２０４  センサ判断部
２０５  警告出力部
５０１  温度調節装置
１０００  温度検出システム
５０００  搬送用具
【図１】
2016035668.tif 000003
【図２】
2016035668.tif 000004
【図３】
2016035668.tif 000005
【図４】
2016035668.tif 000006
【図５】
2016035668.tif 000007
【図６】
2016035668.tif 000008
【図７】
2016035668.tif 000009
【図８】
2016035668.tif 000010
【図９】
2016035668.tif 000011
【図１０】
2016035668.tif 000012
【図１１】
2016035668.tif 000013
【図１２】
2016035668.tif 000014
【図１３】
2016035668.tif 000015